(57)【要約】【課題】  加工送り速度を制御し、被加工物の加工面が凹または凸形状となる太鼓形状の形成を防ぎ、ワイヤ走行方向の加工精度である真直精度を向上させる。【解決手段】  ワイヤ電極と被加工物の極間に生じた放電パルスを放電パルス検出装置で検出し、短絡パルス判別装置で短絡パルスを判別し、連続短絡パルスの発生回数を計数装置で計数する。計数された連続短絡パルスの発生回数と記憶装置に記憶する基準となる連続短絡パルスの発生回数とを比較し、計数された連続短絡パルスの発生回数と基準となる連続短絡パルスの発生回数の偏差に基づき加工送り速度制御装置で加工送り速度を制御することにより、被加工物の加工面がワイヤ放電加工特有の現象である太鼓形状となるのを防ぎ、真直精度を向上させる。【選択図】      図２
2010221354.tif 000002
【特許請求の範囲】
【請求項１】
ワイヤ電極と被加工物間に電圧を印加して、放電パルスを発生させ、前記ワイヤ電極と被加工物を相対移動させつつ、放電によって被加工物を加工するワイヤ放電加工装置において、
前記ワイヤ電極と前記被加工物間に発生した放電パルスを検出する放電パルス検出装置と、
検出した前記放電パルスが短絡パルスか否かを判別する短絡パルス判別装置と、
所定時間内に発生した連続短絡パルス発生回数を計数する計数装置と、
基準となる連続短絡パルス発生回数を記憶する記憶装置と、
計数した連続短絡パルス発生回数と基準となる連続短絡パルス発生回数とを比較する比較装置と、
上記基準となる連続短絡パルス発生回数と計測された連続短絡パルス発生回数に基づいて、加工送り速度を変更する加工送り速度制御装置、または、放電休止時間を変更する放電休止時間制御装置、と、
を有することを特徴とするワイヤ放電加工装置。
【請求項２】
ワイヤ電極と被加工物間に電圧を印加して、放電パルスを発生させ、前記ワイヤ電極と被加工物を相対移動させつつ、放電によって被加工物を加工するワイヤ放電加工装置において、
前記ワイヤ電極と被加工物間に発生した放電パルスを検出する放電パルス検出装置と、
検出した前記放電パルスが短絡パルスか否かを判別する短絡パルス判別装置と、
所定時間内に発生した短絡パルスの連続個数を計数する計測装置と、
所定時間内に発生した短絡パルスの平均連続個数を算出する演算装置と、
基準となる短絡パルスの連続個数を記憶する記憶装置と、
計数した短絡パルスの平均連続個数と基準となる短絡パルスの連続個数とを比較する比較装置と、
基準となる短絡パルスの連続個数と計数した短絡パルスの平均連続個数に基づいて、加工送り速度を変更する加工送り速度制御装置、または、放電休止時間を変更する放電休止時間制御装置、と、
を有することを特徴とするワイヤ放電加工装置。
【請求項３】
所定時間内に発生した短絡パルス数を計数する計数装置を備えることを特徴とする請求項１に記載のワイヤ放電加工機。
【請求項４】
前記記憶装置に記憶される基準となる値はワイヤ電極のワイヤ径や材質、テーパ角度、被加工物の板厚や材質によって決定されることを特徴とする請求項１あるいは請求項２に記載のワイヤ放電加工装置。
【発明の詳細な説明】
【技術分野】
【０００１】
本発明はワイヤ放電加工装置の高精度化に関するものである。
【背景技術】
【０００２】
ワイヤ放電加工装置では、被加工物の板厚が４０ｍｍ以上のように厚い場合、被加工物の加工面が凹形状または凸形状となる太鼓形状が形成され、ワイヤ走行方向の形状を示す真直精度の悪化を招いていた。これは、加工中にワイヤに働く放電反力と静電引力の不釣合いによるワイヤ放電加工特有の加工現象と考えられるが、このために、たとえばプレス金型加工（金型を組み合わせて金属板を打ち抜く加工などを行っている）においては、金型の精度が悪くなることによって、精度よく金属板を打ち抜けないなどの問題があった。
【０００３】
特許文献１では、所定時間毎にワイヤ電極と被加工物との間に生じる放電パルス数と基準と定める放電パルス数との比率を求め、その比率に応じて、放電休止時間、冷却液の量、所定時間内の送り量を制御することで加工精度が向上するとしている。その装置構成は、所定時間毎にワイヤ電極と被加工物間で生じた放電パルス数を計数するパルス数計数装置と、基準放電パルス数記憶装置と比率判断装置と放電休止時間制御装置と液量制御装置と送りパルス演算装置からなる。
【先行技術文献】
【特許文献】
【０００４】
【特許文献１】特開２００６−１３０６５６号公報
【発明の概要】
【発明が解決しようとする課題】
【０００５】
上記特許文献１では、所定時間毎にワイヤ電極と被加工物との間に生じる放電パルス数を計数し、基準放電パルス数との比率に応じて、休止時間、冷却液の液量、加工速度を制御することで加工精度が向上するとしている。しかし、実際には、放電パルス数とワイヤ走行方向の加工精度を示す真直精度とは相関がないことを本願において始めて見出した。すなわち、放電パルス数に応じて送り量を制御しても真直精度は向上しないことが判明した。
【０００６】
本発明では、放電パルス数の中でも、被加工物の加工面の形状である太鼓形状に特に関係が深いと考えられる、連続して発生する短絡パルス連続個数の束としての連続短絡パルスの発生状況に応じて、加工送り速度を制御し真直精度を向上させることを目的としている。
なお、本発明では、放電加工にて慣用される一般的な判断基準に基づいて発生させた放電パルスが短絡状態で発生したか否かを判定する。判定基準としては、例えば無負荷時間が一定以下であることをもって判定するが、その他の基準、例えば放電中の電圧が一定レベル以下であるとか、放電発生前に印加したチェックパルスの電圧が一定レベル以下である、もしくは流出する電流が一定レベル以上であるとか、放電発生前の休止時間中のインピーダンスが一定値以下であるとか、をもって判定してもよい。
【０００７】
本発明では、短絡パルス連続個数とは、短絡パルスが連続して発生した場合において何回連続して発生したかを示す数を言い、連続短絡パルス発生回数とは、連続して発生する短絡パルスをひとつの束として数え、その束の数を言う。（図１参照）。
【課題を解決するための手段】
【０００８】
この発明に係るワイヤ放電加工装置は、ワイヤ電極と被加工物間に発生した放電パルスを検出する放電パルス検出装置と、検出した放電パルスが短絡パルスか否かを判別する判別装置と、所定時間内に発生した連続短絡パルス発生回数を計数する計数装置と、基準となる連続短絡パルス発生回数を記憶する記憶装置と、計数した連続短絡パルス発生回数と基準となる連続短絡パルス発生回数を比較する比較装置を備え、基準となる連続短絡パルス発生回数と計測された連続短絡パルス発生回数との偏差が小さくなるように加工送り速度を変更する手段を有することを特徴とする。
【発明の効果】
【０００９】
この発明によれば、所定時間内に発生する連続短絡パルス発生回数に応じて、加工送り速度が変更されるので、被加工物の加工面に形成される太鼓形状が改善され真直精度が向上する。
【図面の簡単な説明】
【００１０】
【図１】短絡パルス連続個数と連続短絡パルス発生回数の概念を示す図である。
【図２】実施の形態１に示すワイヤ放電加工装置の構成を説明する図である。
【図３】連続短絡パルス発生回数と加工送り速度との関係を示す図である。
【図４】連続短絡パルス発生回数と被加工物の加工面の形状との関係の一例を示す図である。
【図５】実施の形態２に示すワイヤ放電加工装置の構成を説明する図である。
【図６】実施の形態３に示すワイヤ放電加工装置の構成を説明する図である。
【図７】実施の形態４に示すワイヤ放電加工装置の構成を説明する図である。
【発明を実施するための形態】
【００１１】
実施の形態１.
図２は、この発明の実施の形態１によるワイヤ放電加工装置を示す構成図である。図２において、ワイヤ放電加工装置は、ワイヤ電極と被加工物間に放電パルスを供給する放電パルス発生装置１、ワイヤ電極２、放電パルスを検出する放電パルス検出装置４、放電パルスが短絡パルスか否かを判別する短絡パルス判別装置５、所定時間内に発生した連続短絡パルスの発生回数を計数する計数装置６、基準となる連続短絡パルス発生回数を記憶する記憶装置７、計数された連続短絡パルス発生回数と基準となる連続短絡パルス発生回数とを比較する比較装置８、加工送り速度を変更させる加工送り速度制御装置９から構成されており、上記ワイヤ放電加工装置により、被加工物３が所望の形状に加工される。
【００１２】
本発明において、ワイヤ電極と被加工物との間のパルスは放電パルス検出装置４で信号として検出され、放電パルス検出装置４から出力された当該信号は、短絡パルス判別装置５に入力され、短絡パルスか否かが判別される。この短絡パルス判別装置５から出力された短絡パルス信号は計数装置６に入り、所定時間内に発生した連続短絡パルスの発生回数が計数される。計数装置６で計数された信号は、比較装置８に入る。比較装置８では、基準となる連続短絡パルス発生回数が記憶されている記憶装置７からも信号が入力され、これら２つの信号がこの比較装置８で比較される。比較装置８から出力された加工送り速度を制御する信号は加工送り速度制御装置９に入り、加工送り速度を比較装置８から得られた偏差を小さくするように制御する。
【００１３】
次に、本発明の原理について図３を用いて説明する。図３は、連続短絡パルス発生回数と加工送り速度との関係を示す図である。図中の曲線は、例えば、被加工物の板厚が一定とした場合において、太鼓形状が発生しない場合の連続短絡パルス発生回数と加工送り速度との関係を示すものである。図中、横軸の連続短絡パルス発生回数Ｎｒは、基準となる連続短絡パルス数であり、被加工物の板厚や材質、ワイヤ電極のテーパ角度、ワイヤ径、材質などによって決定される。なお、この曲線の傾きは、連続短絡パルス発生回数に応じた加工送り速度や、被加工物板厚、加工条件によっても異なる。
【００１４】
被加工物の板厚が４０ｍｍ以上のように厚い場合、加工中にワイヤに働く放電反力と静
電引力の不釣合いによるワイヤのたわみが生じやすいため、被加工物の加工面の形状が、図３の上部に示すような凹形状または凸形状となる。すなわち、加工送り速度がある一定値である場合において考えると、連続短絡パルス発生回数が、Ｎｒより小さい場合で×印の条件下では、凹形状が生じ、逆に、Ｎｒより大きい場合で×印の条件下では、凸形状が生じる。このような凹形状または凸形状となる太鼓形状は、ワイヤ走行方向の形状精度を示すバロメータであり、太鼓形状が形成されるということは、被加工物の真直精度がよくないことを示している。
【００１５】
そこで、上記太鼓形状が生じないようにするため、ある加工速度下において、連続短絡パルス発生回数をモニタしつつ加工送り速度の制御を行なう。すなわち、連続短絡パルス発生回数が基準のＮｒより増加した場合には、当該発生回数が図中のＮｒより大きい側にある×印の場合と想定されるため、図中の曲線に合うように、加工送り速度を遅くし、逆に、連続短絡パルス発生回数が減少すると、同様に図中のＮｒより小さい側にある×印の場合と想定されるため、図中の曲線に合うように、加工送り速度を速くする。このようにして、被加工物の加工面に太鼓形状が形成されない連続短絡パルス発生回数になるように加工送り速度を制御する。
【００１６】
図４は加工量一定で加工送り速度を変化させて行った実験の結果の一例を示したものである。
この図において、中段に示す図は、被加工物の加工面の加工状況を示す実測データであり、横軸は、加工面の凹凸形状について、その凹凸の大きさを任意スケールで示したものであり、縦軸は、ワイヤ走行方向のワイヤの長さを任意スケールで表したものである。また、下段の横軸は、最も高精度の真直加工が実現できた場合をＮとして、１秒当りの連続短絡パルス発生回数を任意スケールで示したものである。
【００１７】
連続短絡パルス発生回数が所定の発生回数より多くなると、被加工物の加工面が凸形状になっており、反対に連続短絡パルス発生回数が所定の発生回数より少なくなると、被加工物の加工面が凹形状となっていることがわかる。
加工送り速度が、基準となる連続短絡パルス発生回数Ｎとなる加工送り速度よりも速くなると短絡パルスが増加し、被加工物の加工面の形状は凸形状となり、基準となる連続短絡パルス発生回数Ｎとなる加工送り速度よりも遅くなると短絡パルスが減少し、被加工物の加工面の形状が凹形状になるため、被加工物の真直精度が悪化する。
【００１８】
また、前段加工時（ここで前段加工とは、通常加工は複数ステップに分けて実施されるが、初回の加工ステップを除いて、その各々の加工ステップの１つ手前の加工ステップにおける加工のことを意味する）に加工の取り残しがあり、加工量が変化するなどの外乱が生じた場合、加工量が増加すると短絡パルスも加工量の増加に伴い発生しやすくなるため、真直精度に影響を与えることが判った。したがって、連続短絡パルス発生回数に応じた加工送り速度に設定することで被加工物の高精度の真直加工が実現できると考えられる。
【００１９】
次に本発明の動作を、図２にしたがって説明する。放電パルス発生装置１でワイヤ電極２と被加工物３間で放電パルスを発生させる。ワイヤ電極２と被加工物３間で発生した放電パルスは、放電パルス検出装置４で検出され、検出された放電パルスは短絡パルス判別装置５で短絡パルスか否かが判別される。判別された短絡パルスの中から、連続短絡パルス発生回数が計数装置６にて計数される。計数された連続短絡パルス発生回数は、記憶装置７に記憶されている基準となる連続短絡パルス発生回数と、比較装置８にて比較される。比較結果から基準となる連続短絡パルス発生回数と計数された連続短絡パルスの発生回数との偏差を小さくするように、加工送り制御装置９によって加工送り速度を変更する。なお、基準となる連続短絡パルス発生回数は、被加工物の板厚から決定される。
【００２０】
短絡パルス以外のパルスが発生すると、そこで短絡パルス連続個数はリセットされる。ただし、連続の個数は２個以上に限るものではなく、３個以上、４個以上としてもよい。
【００２１】
凹形状となる場合、短絡パルスの発生が減少し、所定時間内の連続短絡パルス発生回数も少なくなり、基準となる連続短絡パルス発生回数よりも２割ほど減少する。逆に凸形状となる場合、短絡パルスの発生が増加し、所定時間内の連続短絡パルス発生回数も多くなり、基準となる連続短絡パルス発生回数よりも２割ほど増加する。
【００２２】
以上において、計数する所定時間は、１ｓｅｃごとでもよいし、１ｍｓｅｃなどの短い時間ごとに移動平均をとるなど平均化処理をしてもよい。
【００２３】
また、基準となる連続短絡パルス発生回数は、ワイヤ電極のワイヤ径やテーパ角度、被加工物の板厚、材質によって異なる。したがって、加工途中で板厚が変化するような被加工物を加工する場合においても、高真直加工(真直度の精度が通常の加工と比較にならない位、精度の高い加工。例えば真直誤差１μｍ程度以下の加工のこと。以下同様。)を実現することができる。
【００２４】
さらに、計数装置での計数は連続短絡パルス発生回数の計数に限定されるものではなく、短絡パルス数や短絡パルス連続個数などでもよい。
【００２５】
実施の形態２.
図５に本発明の実施の形態２で述べるワイヤ放電加工装置を示す。実施の形態１の図２に演算装置１０を追加したものである。本実施の形態の装置の構成は、実施の形態１と同様なものであるが、計数装置６から出力された信号は、直接、比較装置８に入力されるのではなく、演算装置１０を通った後、比較装置８に入る点が異なっている。
【００２６】
実施の形態２に示すワイヤ放電加工装置においては、発生した短絡パルス連続個数を計数する。すなわち、実施の形態１と同様にして短絡パルス判別装置５から得られた短絡パルスの連続する個数を計数装置６にて所定時間毎に計数する。計数装置６にて計数された短絡パルス連続個数から、演算装置１０にて短絡パルス連続個数の平均値が求められる。演算装置１０で求められた平均値と、記憶装置７に記憶されており、板厚によって決定される基準となる短絡パルス連続個数とを比較装置８で比較し、その偏差が小さくなるように加工送り速度制御装置９にて加工送り速度を制御する。
【００２７】
たとえば、上記の短絡パルス連続個数の所定時間当たり平均値は、凹形状では２〜３個が多いのに対し、凸形状では、５〜６個に増加する。これらの所定時間当たりの平均値を基準値と比較し、偏差が少なくなるように加工送り速度制御装置９にて加工送り速度を変更する。
【００２８】
短絡パルス連続個数を計数する時間は、およそ３００ｍｓｅｃ〜１ｓｅｃであり、３００ｍｓｅｃ〜１ｓｅｃ間の短絡パルス連続個数の平均値を算出する。しかしながら、計数する時間に制限はなく、もっと短いたとえば１ｍｓｅｃ〜５０ｍｓｅｃ間の平均値を移動平均するなどの平均化処理をしてもよい。比較する基準の短絡パルス連続個数は、ワイヤ電極のワイヤ径やその材質、テーパ角度、被加工物の板厚やその材質などにより変化し、ある定数に限られるものではない。
【００２９】
以上により、被加工物の加工面が太鼓形状になり、短絡パルス連続個数が基準となる短絡パルス連続個数と異なる場合、計数した短絡パルス連続個数と、基準となる短絡パルス連続個数との偏差を小さくするように加工送り速度を変更するので、被加工物の加工面に太鼓形状がない高真直加工が実現できる。
【００３０】
実施の形態３.
図６は本発明の実施の形態３で述べるワイヤ放電加工装置を示す。実施の形態１の図２で示された加工送り速度制御装置９の代わりに放電休止時間制御装置１１を設けたものである。
【００３１】
実施の形態３における装置の原理を以下に説明する。被加工物の板厚が４０ｍｍ以上のように厚い場合、加工中のワイヤに働く放電反力と静電引力の不釣合いによりワイヤのたわみが生じ、被加工物の加工面が凹形状または凸形状となる太鼓形状が形成される。この太鼓形状の形成により、ワイヤ走行方向の形状精度を示す真直精度が悪化する。放電周波数が低くなると、連続短絡パルス発生回数が少なくなって被加工物の加工面は凸形状となり、放電周波数が高くなると、連続短絡パルス発生回数が多くなり、被加工物の加工面は凹形状となることも今回始めて判った事項である。したがって、基準となる連続短絡パルス発生回数と計数された連続短絡パルスの発生回数との偏差を小さくするように放電休止時間を制御し、放電周波数を変更することで高真直加工を実現することができる。
【００３２】
実施の形態３における装置の動作は、実施の形態１と同様にして比較装置８から得られた偏差を小さくするように放電休止時間制御装置１１にて放電休止時間を制御し、放電周波数を変更するので、被加工物の加工面に太鼓形状がない高真直加工が実現できる。
【００３３】
実施の形態４．
図７は本発明の実施の形態４で述べるワイヤ放電加工装置を示す。実施の形態２の図５で示された加工送り速度制御装置９のかわりに放電休止時間制御装置１１を設けたものである。
【００３４】
実施の形態２と同様に所定時間内に発生した短絡パルス連続個数を計数し、演算装置１０で計数した短絡パルス連続個数の平均値を算出する。演算装置１０で求められた平均値と記憶装置７に記憶される基準となる短絡パルス連続個数とを比較装置８で比較し、偏差を小さくするように放電休止時間制御装置１１にて放電休止時間を制御し、放電周波数を変更することで、高真直加工を実現することができる。
【符号の説明】
【００３５】
１  放電パルス発生装置  、２  ワイヤ電極  、３  被加工物  、４  放電パルス検出装置、  ５  短絡パルス判別装置、  ６  計数装置、  ７  記憶装置、  ８  比較装置、  ９  加工送り速度制御装置、  １０  演算装置、  １１  放電休止時間制御装置。
【図１】
2010221354.tif 000003
【図２】
2010221354.tif 000004
【図３】
2010221354.tif 000005
【図４】
2010221354.tif 000006
【図５】
2010221354.tif 000007
【図６】
2010221354.tif 000008
【図７】
2010221354.tif 000009